(57)【要約】      （修正有）【課題】キッチンの空気を清浄化するとともに、キッチンの空間の最大化を実現することができる空気清浄ライトを提供する。【解決手段】空気清浄ライトは、ケース１を有し、ケースに照明アッセンブリが設置され、ケース内に、縦方向に沿って、下から上への順に互いに連通される第１通風路３及び第２通風路４が開設され、第１通風路と第２通風路との間に送風機５が設置され、第１通風路の下端に、下から上への順に、フィルタディスク６及び空気を清浄化するためのフィルタスクリーン層７が設置される。空気清浄ライトは、キッチンの天井に装着されたケースにおける照明アッセンブリにより、キッチンの照明要求を満たす。ケース内に縦方向に沿って開設された第１通風路及び第２通風路によって、送風機で空気が下から上へ対流状態となり、対流状態の空気が、順にフィルタディスク及びフィルタスクリーン層を通過し、これによって空気を清浄化する役割を果たすことができる。【選択図】図３
0003231382.tif 000002
【実用新案登録請求の範囲】
【請求項１】
キッチンの天井に装着されるケースを有し、前記ケースに照明アッセンブリが設置され、
前記ケース内に、縦方向に沿って、下から上への順に互いに連通される第１通風路及び第２通風路が開設され、
前記第１通風路の下端が吸気口であり、前記第２通風路の上端が排気口であり、
前記第１通風路と前記第２通風路との間に、送風機が設置され、
前記第１通風路の下端に、下から上への順に、フィルタディスク及び空気を清浄化するためのフィルタスクリーン層が設置されることを特徴とする空気清浄ライト。
【請求項２】
前記フィルタスクリーン層は、油煙フィルタスクリーン、ＨＥＰＡフィルタスクリーン又は活性炭フィルタスクリーンのうちの１つ又はいずれの組合せであることを特徴とする請求項１に記載の空気清浄ライト。
【請求項３】
前記排気口は、前記照明アッセンブリの上方に位置することを特徴とする請求項１に記載の空気清浄ライト。
【請求項４】
前記照明アッセンブリは、ＬＥＤライトストリップであり、前記ＬＥＤライトストリップが前記ケースの底部の周縁部に装着されることを特徴とする請求項１に記載の空気清浄ライト。
【請求項５】
前記フィルタディスクは、内側から外側への順に設置されるフィルタプレート及びテーパ状カバーを備え、
前記テーパ状カバーは、下から上へ横断面が漸減し、前記フィルタプレートは、前記テーパ状カバーの上端に装着されることを特徴とする請求項１に記載の空気清浄ライト。
【請求項６】
前記フィルタプレートには、複数のフィルタ孔が開設されることを特徴とする請求項５に記載の空気清浄ライト。
【請求項７】
前記フィルタプレートと前記テーパ状カバーとは一体成形されることを特徴とする請求項５に記載の空気清浄ライト。
【請求項８】
前記排気口には、止め板が設置され、前記止め板には、複数の長尺状の孔が開設されることを特徴とする請求項１に記載の空気清浄ライト。
【請求項９】
前記ケースの上方には、キッチンの天井と接続される装着プレートが設置され、前記装着プレートは、前記ケースと剛性ロープで接続されることを特徴とする請求項１に記載の空気清浄ライト。
【考案の詳細な説明】
【技術分野】
【０００１】
本考案は、照明器具技術分野に属し、より具体的に、空気清浄ライトに関する。
【背景技術】
【０００２】
キッチンの照明要求を満足するために、キッチンにシーリングライト又はダウンライトが装着されることは、一般的である。また、キッチンの空気質を保つために、コンロの上方にレンジフードが設置されるが、従来のレンジフードにより油煙を完全に清浄化することができない。キッチンの空気質を保つために、通常、キッチンに空気清浄機が装着されるが、キッチンの空間が限られるので、空気清浄機の装着は、キッチンの空間を占め、キッチンがより狭くなる。
【考案の概要】
【考案が解決しようとする課題】
【０００３】
本考案は、キッチンに空気清浄機が装着されると空間が占められ、キッチンがより狭くなる問題を解決できる空気清浄ライトを提供することを目的とする。
【課題を解決するための手段】
【０００４】
上記の目的を実現するため、本考案は、以下の技術案を採用する。空気清浄ライトは、キッチンの天井に装着されるケースを有し、前記ケースに照明アッセンブリが設置され、前記ケース内に、縦方向に沿って、下から上への順に互いに連通される第１通風路及び第２通風路が開設され、前記第１通風路の下端が吸気口であり、前記第２通風路の上端が排気口であり、前記第１通風路と前記第２通風路との間に、送風機が設置され、前記第１通風路の下端に、下から上への順に、フィルタディスク及び空気を清浄化するためのフィルタスクリーン層が設置される。
【０００５】
本出願の他の実施例として、前記フィルタスクリーン層は、油煙フィルタスクリーン、ＨＥＰＡフィルタスクリーン又は活性炭フィルタスクリーンのうちの１つ又はいずれの組合せである。
【０００６】
本出願の他の実施例として、前記排気口は、前記照明アッセンブリの上方に位置する。
【０００７】
本出願の他の実施例として、前記照明アッセンブリは、ＬＥＤライトストリップであり、前記ＬＥＤライトストリップが前記ケースの底部の周縁部に装着される。
【０００８】
本出願の他の実施例として、前記フィルタディスクは、内側から外側への順に設置されるフィルタプレート及びテーパ状カバーを備え、前記テーパ状カバーは、下から上へ横断面が漸減し、前記フィルタプレートは、前記テーパ状カバーの上端に装着される。
【０００９】
本出願の他の実施例として、前記フィルタプレートには、複数のフィルタ孔が開設される。
【００１０】
本出願の他の実施例として、前記フィルタプレートと前記テーパ状カバーとは一体成形される。
【００１１】
本出願の他の実施例として、前記排気口には、止め板が設置され、前記止め板には、複数の長尺状の孔が開設される。
【００１２】
本出願の他の実施例として、前記ケースの上方には、キッチンの天井と接続される装着プレートが設置され、前記装着プレートは、前記ケースと剛性ロープで接続される。
【００１３】
本考案による空気清浄ライトは、以下の有益な効果を有する。
【００１４】
本考案の空気清浄ライトは、従来技術と比べて、キッチンの天井に装着されたケースにおける照明アッセンブリにより、キッチンの照明要求を満たすことができる。ケース内に縦方向に沿って開設された第１通風路及び第２通風路によって、送風機で空気が下から上へ対流状態となり、対流状態の空気が、順にフィルタディスク及びフィルタスクリーン層を通過し、吸気口を介して流れ込んで排気口から排出され、これによって、空気を清浄化する役割を果たすことができる。本考案の空気清浄ライトは、清浄化機能を照明ランプに集積し、キッチンの空気清浄化を満足するとともに、キッチンの空間の最大化を実現することができる。
【図面の簡単な説明】
【００１５】
以下、本考案における実施例の技術案をより明瞭に説明するため、実施例又は従来技術の説明に必要な図面を簡単に説明する。説明する図面は、本考案の一部の実施例を示すものに過ぎない。当業者は、発明能力を用いなくても、これらの図面に基づいてその他の図面を得ることが可能である。
【図１】本考案の実施例による空気清浄ライトの構成模式図である。
【図２】本考案の実施例による空気清浄ライトの正面図である。
【図３】図２のＡ−Ａ線の断面図である。
【図４】本考案の実施例による空気清浄ライトの底面図である。
【考案を実施するための形態】
【００１６】
本考案が解決しようとする技術課題、技術案及び有益な効果をより明瞭にするため、以下、図面及び実施例を参照しながら、本考案をより詳しく説明する。説明する具体的な実施例は、本考案を解釈するためのものに過ぎず、本考案を限定するものではない。
【００１７】
図１〜図４を参照しながら、本考案による空気清浄ライトを説明する。空気清浄ライトは、キッチンの天井に装着されるケース１を有する。ケース１に照明アッセンブリが設置され、ケース１内に、縦方向に沿って、下から上への順に互い連通される第１通風路３及び第２通風路４が開設される。第１通風路３の下端が吸気口であり、第２通風路４の上端が排気口である。第１通風路３と第２通風路４との間に、送風機５が設置される。第１通風路３の下端に、下から上への順に、フィルタディスク６及び空気を清浄化するためのフィルタスクリーン層７が設置される。
【００１８】
本考案による空気清浄ライトは、照明機能及び空気清浄機機能が、個別に起動されてもよいし、同時に起動されてもよい。送風機５は、モータでフィンを回転駆動して負圧を生成させ、外部の空気を下から上に通風路を通過させるものである。ケース１は、円筒状構造である。第１通風路３及び第２通風路４は、円筒状スリーブにより形成され、円筒状に形成されるケース１と同軸に設置されるとともに、それぞれ送風機５の上下両側に設置される。通風路が第１通風路３及び第２通風路４のように上下２つの部分で構成されることによって、空気は、空気清浄ライトの下方から吸気され、フィルタディスク６及びフィルタスクリーン層７を介して清浄化された後、第１通風路３に流れ込んで集中され、その後、均一に送風機５を素早く通過し、第２通風路４に流れ込んで合流し、安定且つ静かに排気口から排出される。第１通風路３及び第２通風路４により、安定に空気を導く効果を奏し、気流が順調になり、優れた空気清浄効果を奏することができる。
【００１９】
本考案による空気清浄ライトは、従来技術と比べて、キッチンの天井に装着されたケース１における照明アッセンブリにより、キッチンの照明要求を満たすことができる。ケース１内に縦方向に沿って開設された第１通風路３及び第２通風路４によって、送風機５で空気が下から上へ対流状態となり、対流状態の空気が、順にフィルタディスク６及びフィルタスクリーン層７を通過し、吸気口を介して流れ込んで排気口から排出され、これによって、空気を清浄化する役割を果たすことができる。本考案の空気清浄ライトは、清浄化機能を照明ランプに集積し、キッチンの空気清浄化を満足するとともに、キッチンの空間の最大化を実現することができる。
【００２０】
本考案による空気清浄ライトの具体的な実施形態として、図３に示すように、フィルタスクリーン層７は、油煙フィルタスクリーン７−１、ＨＥＰＡフィルタスクリーン７−２又は活性炭フィルタスクリーン７−３のうちの１つ又はいずれの組合せである。本実施例において、利用者は、装着箇所によってフィルタスクリーン層７を選んで使用することができ、３つのフィルタスクリーン層７が、単独に使用されてもよいし、組み合わせて使用されてもよい。例えば大型レストランの厨房のような油煙がたくさん出てくる特別なところでは、３層を超えるフィルタスクリーン層７が設置されてもよい。各フィルタスクリーンを積み重ねて使用することで、空気を完全に清浄化する目的を達成することができる。フィルタスクリーン層７は、多層で構成されるケース内に装着されたり、係合溝でケース１の内壁、通風路の内壁又は通風路の吸気口に直接装着されたりしてもよい。
【００２１】
本考案による空気清浄ライトの１つの具体的な実施形態として、図３に示すように、排気口は、照明アッセンブリの上方に位置する。本実施例において、照明アッセンブリが清浄化構造の全体の下方に位置する状態を保つことで、清浄化構造における送風機５が稼働する際の照明アッセンブリの照射光に対する干渉を避けることができる。
【００２２】
本考案による空気清浄ライトの１つの具体的な実施形態として、図３及び図４に示すように、照明アッセンブリは、ケース１の底部の周縁部に装着されるＬＥＤライトストリップ２である。本実施例において、ケース１の底部の周縁部に環状装着枠が設置され、ＬＥＤライトストリップ２が環状装着枠の下部に環状に装着され、ＬＥＤライトストリップ２の発光側に、ＬＥＤライトストリップ２を保護するための透光板が設置される。環状のＬＥＤライトストリップ２は、ケース１の底部の軸方向に位置するので、照明を確保するとともに、空気清浄ライトの清浄化構造と干渉しないようにすることができる。
【００２３】
本考案の空気清浄ライトの１つの具体的な実施形態として、図３及び図４に示すように、フィルタディスク６は、内側から外側への順に設置されるフィルタプレート８及びテーパ状カバー９を備える。テーパ状カバー９は、下から上へ横断面が漸減し、フィルタプレート８は、テーパ状カバー９の上端に装着される。本実施例において、フィルタプレート８は、テーパ状カバー９の上部に位置する円板であり、テーパ状カバー９の小さい開口を封じる。テーパ状カバー９は、その大きい開口が下部に形成され、空気を素早く集める役割を果たすことができる。
【００２４】
本考案の空気清浄ライトの１つの具体的な実施形態として、図３及び図４に示すように、フィルタプレート８には、複数のフィルタ孔が形成される。フィルタ孔は、円形状に形成される貫通孔であり、フィルタプレート８の円心から外側へ放射状に分布される。フィルタ孔の分布範囲は、吸気口のフィルタプレート８への投影面積よりも大きく形成されるので、吸気口から順調に吸気することを確保することができるとともに、ハエ、蛾及びその他の虫が光に集まって空気清浄ライトに進入し、汚染を招く問題を解決することができる。
【００２５】
本考案の空気清浄ライトの１つの具体的な実施形態として、図３及び図４に示すように、フィルタプレート８及びテーパ状カバー９は、一体成形される。本実施例において、フィルタディスク６をプレスすることでフィルタプレート８及びテーパ状カバー９部分を一体成形することによって、フィルタディスク６の構成の強度を確保することができる。
【００２６】
本考案の空気清浄ライトの１つの具体的な実施形態として、図１及び図３に示すように、排気口には、複数の長尺状の孔が開設される止め板１０が設置される。本実施例において、止め板１０は、排気口を封じ、第２通風路４を構成するスリーブの上端に一体成形される。止め板１０には、複数の長尺状の孔が開設されるので、通風路の通気を確保するとともに、ごみの排気口から通風路への進入を阻止し、送風機５の正常な稼働への阻害、又は通風路の詰まりの発生を防ぐことができる。
【００２７】
本考案の空気清浄ライトの１つの具体的な実施形態として、図１〜図３に示すように、ケース１の上方には、キッチンの天井と接続されるための装着プレート１１が設置され、装着プレート１１とケース１とが剛性ロープ１２で接続される。本実施例において、装着プレート１１は、キッチンの天井に装着され、剛性ロープ１２を介して下部のケース１と接続される。剛性ロープ１２の長さの調整によって、ケース１の装着高さを調節することができる。空気清浄ライトの電源線は、上へ延伸し、装着プレート１１を貫通してキッチンの天井における電源線と接続されるので、本考案の装置へ電力を提供し、正常な使用を確保することができる。
【００２８】
以上は、本考案の好ましい実施例に過ぎず、本考案を限定するものではない。本出願の本質及び主旨から逸脱しない限り、すべての変更、均等置換、改良等は、いずれも本発明の保護範囲内に属する。
【符号の説明】
【００２９】
１…ケース
２…ＬＥＤライトストリップ
３…第１通風路
４…第２通風路
５…送風機
６…フィルタディスク
７…フィルタスクリーン層
７−１…油煙フィルタスクリーン
７−２…ＨＥＰＡフィルタスクリーン
７−３…活性炭フィルタスクリーン
８…フィルタプレート
９…テーパ状カバー
１０…止め板
１１…装着プレート
１２…剛性ロープ
【図１】
0003231382.tif 000003
【図２】
0003231382.tif 000004
【図３】
0003231382.tif 000005
【図４】
0003231382.tif 000006